(57)【特許請求の範囲】
【請求項１】
建物開口部に沿って設けられる既設枠体の内側に、リフォーム用下横枠、リフォーム用上横枠、及び左右のリフォーム用縦枠が枠状に組み合わされて形成されてなるリフォーム用枠体を被せる開口部装置の施工方法であって、
前記既設枠体に上横枠取付材、下横枠取付材、縦枠取付材を取り付ける工程と、
前記リフォーム用枠体の前記リフォーム用上横枠を室内側に保持する傾けた姿勢から下側を支点として、起こすように回転させ、前記リフォーム用上横枠を前記既設枠体の前記既設上横枠の見付方向内側に配置する工程と、
パッキン材を前記上横枠取付材及び前記縦枠取付材の室外側端部で押し潰すように、前記リフォーム用枠体を前記既設枠体に固定する工程と、
を含む開口部装置の施工方法。
【請求項２】
建物開口部に沿って設けられる既設枠体の内側に、リフォーム用下横枠、リフォーム用上横枠、及び左右のリフォーム用縦枠が枠状に組み合わされて形成されるリフォーム用枠体を被せてなる開口部装置の取り付け構造であって、
前記既設枠体の上横枠に被せられ、前記リフォーム用上横枠が取り付けられる上横枠取付材と、
前記既設枠体の下横枠に被せられ、前記リフォーム用下横枠が取り付けられる下横枠取付材と、
前記既設枠体の左右の縦枠に被せられ、前記リフォーム用縦枠が取り付けられる縦枠取付材と、
を有し、
前記リフォーム用上横枠と前記上横枠取付材との間、及び前記リフォーム用縦枠と前記縦枠取付材との間にはパッキン材が設けられ、
前記パッキン材は、前記既設枠体の前記上横枠、及び前記既設枠体の前記縦枠の室外側端部に密着する位置に設けられることを特徴とする開口部装置の取り付け構造。
【請求項３】
建物開口部に沿って設けられ、上横枠、下横枠、及び左右の縦枠からなる既設枠体の内側に取付材を介して被せられるリフォーム用枠体と、前記取付材とを有するリフォーム用開口部装置であって、
前記リフォーム用枠体は、リフォーム用上横枠、リフォーム用下横枠、及び左右のリフォーム用縦枠が枠状に組み合わされるものであり、
前記取付材が、前記既設枠体の上横枠に被せられ、前記リフォーム用上横枠が取り付けられる上横枠取付材と、前記既設枠体の下横枠に被せられ、前記リフォーム用下横枠が取り付けられる下横枠取付材と、前記既設枠体の左右の縦枠に被せられ、前記リフォーム用縦枠が取り付けられる縦枠取付材と、を備え、
前記リフォーム用上横枠と前記上横枠取付材との間には前記既設枠体の前記上横枠の室外側端部に密着するパッキン材と、前記リフォーム用縦枠と前記縦枠取付材との間には前記既設枠体の前記縦枠の室外側端部に密着するパッキン材とが設けられることを特徴とするリフォーム用開口部装置。
【発明の詳細な説明】
【技術分野】
【０００１】
本発明は、リフォームのときに建物の開口部に備えられるリフォーム用の開口部装置の施工方法、及びその取り付け構造に関する。
【背景技術】
【０００２】
近年、リフォームにより建物の機能や外観の向上をはかるという需要が増し、建物のリフォームに対する様々な要望が顕在化してきた。リフォームにおいては建物の各部が改造されて機能、外観の向上が図られるが、その対象のうちの１つにサッシ窓等の開口部装置を挙げることができる。開口部装置は建物外観に影響を与え、また断熱や防音の観点からも重要な構成要素の１つであるから、リフォームの際に変更される場合が多い。
【０００３】
開口部装置のリフォームの方法、及びリフォーム用の開口部装置として例えば特許文献１に記載のように、既設のサッシ枠に下地材を取り付け、ここにリフォーム開口部装置を取り付けることがある。これにより比較的容易に開口部装置のリフォームをすることが可能となる。
【先行技術文献】
【特許文献】
【０００４】
【特許文献１】特開２００２−３７１７５５号公報
【発明の開示】
【発明が解決しようとする課題】
【０００５】
しかしながら、特許文献１に記載のような従来のリフォーム開口部装置では、該リフォーム開口部装置を、下地材が取り付けられた既設枠体の内側に設置する際に、室外側から取り付ける必要があった。従って、例えば開口部に面格子や柵等が備えられていた場合、リフォーム用の開口部装置を取り付けるために面格子や柵を一旦とりはずす等、多くの手順を必要とすることがあった。
【０００６】
そこで本発明は、これらの問題点に鑑み、施工性に優れるリフォーム用の開口部装置の施工方法、及びその取り付け構造を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、建物開口部に沿って具備された既設枠体の内側に、下横枠（１１）、上横枠（１２）、及び左右の縦枠（１３、１４）が枠状に組み合わされて形成される枠体（１０）と、枠体の内側に配置される障子（２０、３０）と、を有して形成される開口部装置（１）を施工する方法であって、開口部装置の枠体の上横枠、及び左右の縦枠が、既設枠体の室内側面に固定される片（１２ｊ、１３ｈ、１４ｈ）である固定片を具備するとともに、固定片以外の片はいずれも既設枠体の見付方向内側に配置可能とされていることにより、開口部装置の下横枠を既設枠体の既設下横枠の上に載置し、開口部装置の上横枠を室内側に保持する傾けた姿勢から、開口部装置を起こすように上横枠を既設枠体の既設上横枠の見付方向内側に配置し、開口部装置の固定片を既設枠体の室内側面に固定する過程を含む開口部装置の施工方法である。
【０００９】
ここで、「見付方向」とは、建物開口面に平行する方向を意味し、見付方向内側は見付方向のうち開口部の中央に近づく方向、見付方向外側は見付方向のうち開口部から離隔する方向を示す。
【００１０】
請求項２に記載の発明は、建物開口部に沿って具備された既設枠体と、該既設枠体の内側に配置される開口部装置（１）とを具備する開口部装置の取り付け構造であって、開口部装置は、下横枠（１１）、上横枠（１２）、及び左右の縦枠（１３、１４）が枠状に組み合わされて形成される枠体（１０）と、枠体の内側に配置される障子（２０、３０）と、を有し、上横枠、及び左右の縦枠は、既設枠体の室内側面に固定される片である固定片（１２ｊ、１３ｈ、１４ｈ）を具備するとともに、固定片以外の片はいずれも既設枠体の見付方向内側に配置されることを特徴とする開口部装置の取り付け構造である。
【００１１】
請求項３に記載の発明は、請求項２に記載の開口部装置の取り付け構造において、固定片（１２ｊ、１３ｈ、１４ｈ）より室外側には、上横枠（１２）、及び左右の縦枠（１３、１４）と既設枠体との間にパッキン材（１５、１５、１５）が具備されていることを特徴とする。
【発明の効果】
【００１２】
本発明の開口部装置の施工方法、及びその取り付け構造によれば、当該開口部装置の枠体を既設の枠体に取り付けるに際し、室内側からおこなうことができ、施工性に優れたものとすることができる。
【図面の簡単な説明】
【００１３】
【図１】１つの実施形態にかかる開口部装置取り付け構造の室内視正面図である。
【図２】図１の垂直方向断面図である。
【図３】図１の水平方向断面図である。
【図４】下横枠取付材の断面図である。
【図５】上横枠取付材の断面図である。
【図６】下横枠の断面図である。
【図７】上横枠の断面図である。
【図８】縦枠の断面図である。
【図９】縦枠の断面図である。
【図１０】パッキンの断面図である。
【図１１】開口部装置の施工過程を説明する図である。
【図１２】開口部装置の施工過程を説明する他の図である。
【図１３】開口部装置の施工過程を説明する他の図である。
【図１４】変形例における上横枠の断面図である。
【図１５】変形例における縦枠の断面図である。
【発明を実施するための形態】
【００１４】
本発明の上記した作用及び利得は、次に説明する発明を実施するための形態から明らかにされる。以下本発明を図面に示す実施形態に基づき説明する。ただし、本発明はこれら実施形態に限定されるものではない。
【００１５】
図１は１つの実施形態にかかるリフォーム用の開口部装置１（以下、単に「開口部装置１」と記載することがある。）が建物に取り付けられた場面における室内視正面図である。また、図２は図１の垂直方向断面図、図３は、同水平断面図である。
開口部装置１は、下横枠取付材２、上横枠取付材３、縦枠取付材４、５、枠体１０及び該枠体１０により区画される枠内に配置される内障子２０、外障子３０を具備して形成されている。当該枠体１０は、下横枠１１、上横枠１２、縦枠１３、１４、及びパッキン１５、１５、１５を備えている。以下各部材について説明する。
【００１６】
下横枠取付材２は、長尺である棒状の部材である。図４に長手方向に直交する方向の断面を示した。下横枠取付材２は図４に示した断面を概ね維持して紙面奥／手前方向に延在している。
【００１７】
下横枠取付材２は、図４に表れる断面において片２ａを有し、該片２ａの一端から、片２ａに直交するように片２ｂが設けられている。さらに、片２ｂの端部のうち片２ａが備えられる側とは反対側の端部からは、片２ａから離れる方向に向けて片２ｃが備えられている。また、片２ｃの端部のうち片２ｂが備えられる側とは反対側の端部からは片２ｃに対して斜めに延在する片２ｄが具備されている。また、片２ｄの端部のうち片２ｃが備えられる側とは反対側の端部からは、片２ｃから離れる方向に片２ｅが延在している。
【００１８】
下横枠取付材２の上記断面形状は、既設枠体の既設下横枠の形状に合うように形成されている。本実施形態では図２に符号１０１で表れされた既設下横枠１０１に取り付けられるため、このような下横枠取付材２とされたが、下横枠取付材の断面形状は既設下横枠の形状によって適宜変更することができる。
【００１９】
上横枠取付材３は、長尺である棒状の部材である。図５に長手方向に直交する方向の断面を示した。下横枠取付材３は図５に示した断面を概ね維持して紙面奥／手前方向に延在している。
下横枠取付材３は図５からわかるように、片３ａを備え、該片３ａの両端のそれぞれから片３ｂ、片３ｃが同じ方向に立設し、略コ字状を有している。
【００２０】
上横枠取付材３の上記断面形状は、既設枠体の既設上横枠の形状に合うように形成されている。本実施形態では図２に符号１０２で表れされた既設上横枠１０２に取り付けられるため、このような上横枠取付材３とされたが、上横枠取付材の断面形状は既設下横枠の形状によって適宜変更することができる。
【００２１】
縦枠取付材４、５は図３からわかるようにその断面形状は上横枠取付材３と概ね同じである。従ってここでは説明を省略する。
【００２２】
次に枠体１０の各構成について説明する。
下横枠１１は、長尺である棒状の部材である。図６に長手方向に直交する方向の断面を示した。下横枠１１は図６に示した断面を概ね維持して紙面奥／手前方向に延在している。
下横枠１１は図６からわかるように、片１１ａを備え、該片１１ａの一方の面からは片１１ｃ、片１１ｄ、片１１ｅが立設している。片１１ｅの面のうち、片１１ａが備えられない側の面からは片１１ｂが延在し、その先端には、片１１ｅに略平行な片１１ｆが設けられている。
【００２３】
一方、片１１ａの面のうち、片１１ｃ、片１１ｄが備えられる側とは反対側の面からは片１１ｇが立設されている。片１１ｇは片１１ｃと片１１ｄとの間に相当する位置から片１１ｃ側に傾斜して設けられている。また、片１１ｇの端部のうち片１１ａが配置される側とは反対側の端部には、クランク状である片１１ｈが設けられている。片１１ｈはクランク状である中央の片が片１１ｇに取り付けられるとともに、そのうちの１つの片である片１１ｊが片１１ｇから離れる方向に延在している。
【００２４】
上横枠１２は長尺である棒状の部材である。図７には上横枠１２の長手方向に直交する方向の断面を示した。上横枠１２は図７に示した断面を概ね維持して紙面奥／手前方向に延在している。
【００２５】
上横枠１２は図７からわかるように、略平行に並列する４つの片１２ａ、片１２ｂ、片１２ｃ、及び片１２ｄを備えている。そして各片１２ａ、１２ｂ、１２ｃ、１２ｄを連結するように片１２ｅ、１２ｆ、１２ｇが設けられている。片１２ｄには、片１２ｇとは反対方向に延在する片１２ｈが設けられ、さらにその先端は、片１２ｄと略平行であるとともに、該片１２ｄからは離れる方向に固定片としての片１２ｊが延在する。
また、片１２ｆの上面側には後述するパッキン１５を挿入する溝１２ｋを具備している。
【００２６】
上横枠１２は、図７からよくわかるように、固定片として機能する片１２ｊが上方に延在し、その上端が他のいずれの片の上端部より高い位置となるように構成されている。これにより後述するように枠体１０を室内側から施工することができる。詳しくは後で説明する。
【００２７】
縦枠１３は長尺である棒状の部材である。図８には縦枠１３の長手方向に直交する方向の断面を示した。縦枠１３は図８に示した断面を概ね維持して紙面奥／手前方向に延在している。
【００２８】
縦枠１３は、図８からわかるように、片１３ａを備えている。片１３ａの一方の面からは所定の位置に片１３ｂ、１３ｃ、１３ｄ、１３ｅが立設している。このうち片１３ｂは片１３ａの一方の端部から立設している。一方、片１３ａの他方の面からは所定の位置に片１３ｆ、１３ｇ、１３ｈが立設している。このうち固定片としての片１３ｈは片１３ａの他方の端部から立設している。
ここで、縦枠１３の片のうち、片１３ｈが立設された面において、固定片として機能する片１３ｈが最も大きく突設され、他の片（片１３ｆ、１３ｇ）はこれより小さく突設されている。これにより後述するように枠体１０を室内側から施工することができる。詳しくは後で説明する。
【００２９】
縦枠１４は長尺である棒状の部材である。図９には縦枠１４の長手方向に直交する方向の断面を示した。縦枠１４は図９に示した断面を概ね維持して紙面奥／手前方向に延在している。
【００３０】
縦枠１４は、図９からわかるように、片１４ａを備えている。片１４ａの一方の面からは所定の位置に片１４ｂ、１４ｃ、１４ｄ、１４ｅが立設している。このうち片１４ｂは片１４ａの一方の端部から立設している。一方、片１４ａの他方の面からは所定の位置に片１４ｆ、１４ｇ、１４ｈが立設している。このうち固定片としての片１４ｈは片１４ａの他方の端部から立設している。
ここで、縦枠１４の片のうち、片１４ｈが立設された面において、固定片として機能する片１４ｈが最も大きく突設され、他の片（片１４ｆ、１４ｇ）はこれより小さく突設されている。これにより後述するように枠体１０を室内側から施工することができる。詳しくは後で説明する。
【００３１】
パッキン１５、１５、１５は、図２、図３からわかるように、上横枠１２、縦枠１３、縦枠１４のそれぞれに、その長手方向に沿って配置される長尺のパッキン材である。従って、パッキン１５、１５、１５は他の部材に密着して水密気密を確保することができる材料により形成されている。図１０にパッキン１５、１５、１５の長手方向に直交する方向の断面を示した。パッキン１５、１５、１５は図１０に示した断面を概ね維持して紙面奥／手前方向に延在している。
パッキン１５、１５、１５は図１０からわかるように、その断面において中空矩形である矩形部１５ａと、該矩形部１５ａのうちの１片の外側に設けられた取付部１５ｂと、を備えている。
【００３２】
図１〜図３に戻り、内障子２０について説明する。内障子２０は、通常の内障子と同様であり、図１〜３からわかるように、ガラスパネル２５、及び該ガラスパネル２５の縁に沿って設けられる上框２１、下框２２、戸先框２３、内召し合わせ框２４を備えている。内召し合わせ框２４には、クレセント錠２６が設けられている。また、下框２２の内側には戸車２７を具備している。
【００３３】
外障子３０も通常の外障子と同様であり、図１〜３からわかるようにガラスパネル３５、及び該ガラスパネル３５の縁に沿って設けられる上下框３１、３２、戸先框３３、外召し合わせ框３４（図１には表れない。）を備えている。下框３２の内側には戸車３７を具備している。
【００３４】
以上のような構成部材を備える開口部装置１は、例えば次のように既設枠体に取り付けられる。以下に取り付けの手順の一例を説明し、これにより合わせて開口部装置１の各構成要素の関係、及び既設枠体に対する取り付け構造を説明する。
【００３５】
はじめに、下横枠１１、上横枠１２、縦枠１３、１４を枠組みし、枠体１０を形成しておく。これは施工現場でおこなってもよいし、予め工場等で形成しておき、これを施工現場に搬送してもよい。このように、予め枠組みされた枠体１０を既設枠体に設置する構成であることにより、防火性を確保することができる。例えば、乙防通則基準を満たす開口部装置とすることが可能となる。
【００３６】
また図２、図３からわかるように、この際には、上横枠１２の溝１２ｋ（図７参照）、縦枠１３の片１３ｆ、１３ｇ間（図８参照）、及び縦枠１４の片１４ｆ、１４ｇ間（図９参照）には、パッキン１５、１５、１５の取付部１５ｂ、１５ｂ、１５ｂがそれぞれ固定されてパッキン１５、１５、１５が取り付けられる。
【００３７】
既設枠体に開口部装置１を施工する際には、下横枠取付材２、上横枠取付材３、及び縦枠取付材４、５を既設枠体に取り付ける。図１１、図１２に説明図を示した。
図１１からわかるように、既設枠体の既設下横枠１０１に下横枠取付材２を取り付ける。その際には、下横枠取付材２の片２ａが室内側に配置され、建物躯体１１０、及び既設下横枠１０１の上から被せられ、固定部材（不図示）により固定される。一方、片２ｅが室外側に配置され、既設下横枠１０１の片に固定部材（不図示）により固定される。
また、図１１からわかるように、既設枠体の既設上横枠１０２に上横枠取付材３を取り付ける。その際には、既設上横枠１０２の見付方向に延在する片間に、片３ｂ、３ｃを差し込むように配置する。
【００３８】
加えて、図１２からわかるように、既設枠体の既設縦枠１０３、１０４のそれぞれに縦枠取付材４、５を取り付ける。その際には、既設縦枠１０３、１０４の見込み方向に延在する片間に、縦枠取付材４、５の片４ｂ、４ｃ、５ｂ、５ｃを差し込むように配置する。
【００３９】
次に、上記した枠体１０を既設枠体に取り付ける。図１３に説明図を示した。図１３では、紙面右が室内側、紙面左が室外側である。図１３からわかるように、枠体１０を取り付けるに際しては、上横枠１２を室内側に残しつつ、下横枠１１を既設枠体（下横枠取付材２を含む。）上に載置する傾けた姿勢とする。そして当該姿勢から、図１３にＡで示したように枠体１０を起こすように上横枠１２を既設上横枠１０２（上横枠取付材３を含む。）に近づける。すると、図１３にＢで示したように、上横枠１２の固定片としての片１２ｊが既設上横枠１０２の室内側面に接触する。その後片１２ｊを固定部材で固定する（図２参照。）
一方、かかる取り付けにおいて、図３からわかるように、縦枠１３、１４も、固定片である片１３ｈ、１４ｈが既設縦枠１０３、１０４の室内側面に接触する。これを固定部材で固定する。
【００４０】
また、図２、図３からわかるように、枠体１０の取り付け後において、上横枠１２、縦枠１３、１４に配置されたパッキン１５、１５、１５がそれぞれ既設横枠１０２、既設縦枠１０３、１０４の室外側端部に密着し、水密気密を保持している。係る構成により開口部装置としての水密性能（例えばＪＩＳ  Ａ  ４７０６）を確保することが可能となる。
【００４１】
ここで、本実施形態の開口部装置１では、上記したように、上横枠１２、縦枠１３、１４では、これらを構成する片のうち、固定片として機能し、室内側に配置される片（片１２ｊ、片１３ｈ、片１４ｈ）のみが、既設上横枠１０２、既設縦枠１０３、１０４に接触する構造とされている。これにより、開口部装置１を室内側から設置する際に、他の片が既設枠体に接触することがないため、室内側から円滑に開口部装置１を設置することができる。
【００４２】
従来のリフォーム開口部装置では、このような構造を有しておらず、室内側から配置することはできないため、室外側から取り付ける必要があった。従って、開口部に面格子や柵が取り付けられていた場合にはこれを一度はずさなければならなかった。また、上階のリフォームでベランダ等の作業スペースがない場合には、外に足場を組む等して室外側から施工する必要があった。
本実施形態の開口部装置１によれば、室内側からの施工が可能なので上記した不具合を解消することができる。
【００４３】
枠体１０の設置後に該枠体１０の内側に内障子２０、外障子３０を嵌め込む。
【００４４】
ここでは、１つの実施形態として開口部装置１を説明したが、本発明の趣旨に反しない限り、各種変形が可能である。例えば、本実施形態では、既設枠体に下横枠取付材２、上横枠取付材３、縦枠取付材４、５をそれぞれ取り付けたが、必ずしも必要ではなく、既設枠体の形状によっては枠体を直接既設枠体に取り付ける構造であってもよい。
【００４５】
図１４、図１５に変形例を説明するための図を示した。図１４は変形例の開口部装置のうちの上横枠１２’を表わし、図７に相当する図である。図１５は、変形例の開口部装置のうちの縦枠１３’を表わし、図８に相当する図である。なお、縦枠は縦枠１３’のみを表わして説明するが、他方の縦枠についても同様である。
【００４６】
上横枠１２’は図１４からわかるように、略平行に並列する４つの片１２’ａ、片１２’ｂ、片１２’ｃ、及び片１２’ｄを備えている。そして各片１２’ａ、１２’ｂ、１２’ｃ、１２’ｄを連結するように片１２’ｅ、１２’ｆ、１２’ｇが設けられている。片１２’ｄには、片１２’ｇとは反対方向に延在する片１２’ｍが設けられ、該片１２’ｍには断面Ｌ字状の片１２’ｊが着脱可能に設けられている。ここで、片１２’ｊの断面Ｌ字状の一方の片は片１２’ｍに重なるように配置され、他方の片が、片１２’ｄと略平行であるとともに、該片１２’ｄから離れる方向に固定片として延在する。
また、片１２’ｆの上面側には後述するパッキン１５を挿入する溝１２’ｋを具備している。
【００４７】
上横枠１２’は、図１４からよくわかるように、固定片として機能する片１２’ｊが片１２’ｍに取り付けられた姿勢で、その他方の片が上方に延在し、その上端が他のいずれの片の上端部より高い位置となるように構成されている。
【００４８】
縦枠１３’は、図１５からわかるように、片１３’ａを備えている。片１３’ａの一方の面からは所定の位置に片１３’ｂ、１３’ｃ、１３’ｄ、１３’ｅが立設している。このうち片１３’ｂは片１３’ａの一方の端部から立設している。一方、片１３’ａの他方の面からは所定の位置に片１３’ｆ、１３’ｇ、が立設している。また片１３’ａの片１３’ｂとは反対側の端部には、片１３’ａに断面Ｌ字状の片１３’ｈが着脱可能に設けられている。ここで、片１３’ｈの断面Ｌ字状の一方の片は片１３’ａに重なるように配置され、他方の片が、片１３’ｅとは反対方向に固定片として延在する。
片１３’ｈは片１３’ａに取り付けられた姿勢で、固定片として機能する片が最も大きく突設され、他の片（片１３’ｆ、１３’ｇ）はこれより小さく突設されている。
【００４９】
上記したように、変形例では、固定片としての片１２’ｊ、片１３’ｈが分離可能に形成されている。
これによれば、予め片１２’ｊ、片１３’ｈを他の片に固定しておけば、上記の開口部装置１と同様に室内側から開口部装置を施工することができる。本変形例では、さらに、片１２’ｊ、片１３’ｈを分離しておき、先にそれ以外の枠体を既設枠体の枠内に設置して、後から片１２’ｊ、片１３’を枠体及び既設枠体に固定することもできる。従って、この場合には室内側だけでなく、室外側から施工することも可能となる。従って、本変形例によれば室内側、及び室外側のいずれの側からも開口部装置を施工することができる。
【００５０】
ここでは開口部装置として引戸式に開閉する開口部装置について説明したが、枠体の内側に配置される障子の型は特に限定されるものではない。従って例えばスイング式に開閉するもの、滑り出し式に開閉するもの、上げ下げ式、及び嵌めごろし式であってもよい。
【符号の説明】
【００５１】
１  開口部装置
２  下横枠取付材
３  上横枠取付材
４、５  縦枠取付材
１０  枠体
１１  下横枠
１２  上横枠
１３、１４  縦枠
１５  パッキン
２０  内障子
３０  外障子
【図１】
0005394205.tif 000002
【図２】
0005394205.tif 000003
【図３】
0005394205.tif 000004
【図４】
0005394205.tif 000005
【図５】
0005394205.tif 000006
【図６】
0005394205.tif 000007
【図７】
0005394205.tif 000008
【図８】
0005394205.tif 000009
【図９】
0005394205.tif 000010
【図１０】
0005394205.tif 000011
【図１１】
0005394205.tif 000012
【図１２】
0005394205.tif 000013
【図１３】
0005394205.tif 000014
【図１４】
0005394205.tif 000015
【図１５】
0005394205.tif 000016